(57)【特許請求の範囲】
【請求項１】
洗濯機本体内に、サスペンションによって支持された外槽と、外槽の内側で駆動モータにより水平軸心を中心として回転自在に制御され、開閉可能な扉より衣類を出し入れする投入口を有する内槽とを備えたドラム式洗濯機において、前記外槽を支持するサスペンションより下方で、かつ、前記洗濯機本体の下部に、前記投入口の位置を高くすると共に、防振機能を備えた本体支持部を設けたことを特徴とするドラム式洗濯機。
【請求項２】
洗濯機本体内に、サスペンションによって支持された外槽に、外槽の内側で駆動モータにより水平軸心を中心として回転自在に制御され、開閉可能な扉より衣類を出し入れする投入口を有する内槽とを備えたドラム式洗濯機において、前記洗濯機本体を、前記外槽を支持するサスペンションより下方に配置され、前記投入口の位置を高くする本体支持部の支持台上にゴムでできた支脚部を介して設置し、本体支持部の支持台を、ばね要素を介して鉛直方向に上下動自在に支持したことを特徴とするドラム式洗濯機。
【請求項３】
洗濯機本体と本体支持部とは一体形状であることを特徴とする請求項１記載のドラム式洗濯機。
【発明の詳細な説明】
【０００１】
【発明の属する技術分野】
この発明は、洗い兼脱水ドラムが水平軸心を中心として回転するドラム式洗濯機に関する。
【０００２】
【従来の技術】
一般に、ドラム式洗濯機は、洗濯機本体内に、サスペンションによって支持された外槽と、外槽の内側で駆動モータにより水平軸心を中心として回転自在に制御され、洗い兼脱水ドラムとなる内槽とを備えた構造となっており、前面の開閉扉を開けることで投入口から洗濯物の出し入れが行なえるようになっている。
【０００３】
【発明が解決しようとする課題】
ドラム式洗濯機の洗濯槽となる内槽は、構造上水平軸心を中心として回転する所から、上方から出し入れする通常の洗濯機と異なり、前面から出し入れする投入口の位置は、床面から約４８０ｍｍの高さしかなく、洗濯物の出し入れにあたって、大きく腰を曲げる必要がある等使い勝手の面で望ましくなかったものである。
【０００４】
そこで、この発明は、洗濯物の出し入れを容易にし、かつ、振動を小さく抑えるようにしたドラム式洗濯機を提供することを目的としている。
【０００５】
【課題を解決するための手段】
前記目的を達成するために、この発明は、洗濯機本体内に、サスペンションによって支持された外槽と、外槽の内側で駆動モータにより水平軸心を中心として回転自在に制御され、開閉可能な扉より衣類を出し入れする投入口を有する内槽とを備えたドラム式洗濯機において、前記外槽を支持するサスペンションより下方で、かつ、前記洗濯機本体の下部に、前記投入口の位置を高くする防振機能を備えた本体支持部を設ける。
【００１１】
かかる構成において、本体支持部により投入口の位置が高くなるため、洗濯物の出し入れが容易となる。また、脱水起動時の共振振動は、防振機能を備えた本体支持部によって小さく抑えられる。
【００１２】
また、この発明にあっては、洗濯機本体内に、サスペンションによって支持された外槽に、外槽の内側で駆動モータにより水平軸心を中心として回転自在に制御され、開閉可能な扉より衣類を出し入れする投入口を有する内槽とを備えたドラム式洗濯機において、前記洗濯機本体を、前記外槽を支持するサスペンションより下方に配置され、前記投入口の位置を高くする本体支持部の支持台上にゴムでできた支脚部を介して設置し、本体支持部の支持台を、ばねを介して鉛直方向に上下動自在に支持する。
【００１３】
そして好ましい実施形態として、洗濯機本体と本体支持部とを一体形状とする。
【００１４】
かかる構成によれば、本体支持部により投入口の位置が高くなるため、洗濯物の出し入れが容易となる一方、本体支持部の使用をユーザが選択できるメリットが得られる。また、脱水運転時に、発生する振動系の内、特に床面へ伝達される振動は上下動自在に支持台を支持するばねによって低減が図れる。
【００１６】
【発明の実施の形態】
以下、図１乃至図３の図面を参照しながらこの発明の実施の形態を説明する。
【００１７】
図１において、１は下部に設けられた本体支持部３により床面５からの開閉扉７の位置ＤをＨ分、高くしたドラム式洗濯機９の洗濯機本体を示している。洗濯機本体１の内部には、サスペンション１１によって支持された外槽１３と、外槽１３の内部に配置され、駆動モータ１５により水平軸心を中心として回転自在に制御され、開閉可能な扉７より衣類を出し入れする投入口１７を有する脱水兼洗い槽となる内槽１９が配置されている。
【００１８】
開閉扉７は、洗濯機本体１の前面に配置され、ヒンジ２１を支点として開閉可能となっている。
【００１９】
サスペンション１１は、シリンダ２６と、ばね２４により付勢されると共にシリンダ２６に対して上下に摺動可能なピストン２３と、ピストン２３からシリンダ２６の外へ延長されたピストンロッド２５とから成り、シリンダ２６は洗濯機本体１内に設けられた支持板部材２７に枢支されている。ピストンロッド２５は、前記外槽１３を支持する支持ブラケット２９に枢支され、振動の減衰を図る減衰器構造となっている。即ち、ピストン２３は、シリンダ２６に対する摺動摩擦力と、空気の出入りによる粘性減衰とにより、振動発生時にピストン２３の動き量が制限されることで、上下方向の減衰力が得られるようになっている。
【００２０】
一方、本体支持部３の上部は、図１に示すように前記サスペンション１１のシリンダ２６を枢支した前記支持板部材２７となっている。また、本体支持部３の下部には床面５に設置するための支脚部３１を有し、防振機能を備えた構造となっている。具体的には、本体支持部３内に防振機能を有する動吸振器３５を設けるものである。
【００２１】
動吸振器３５は、サスペンション１１に支持されている構造品、例えば、駆動モータ１５，内槽１９，外槽１３，支持ブラケット２９の質量の約１５％に相当する質量体３７と、ダンパ３９とで構成されている。
【００２２】
ダンパ３９は、質量体３７の中央部位からシリンダ部４１が立上がり、シリンダ部４１に対して、ばね４３によるばね圧によってピストン４５の動き量が制御されると共に、ピストン４５から上方へ延長されたピストンロッド４７を有し、動きが制限されたピストンロッド４７の移動時に減衰力を生じる構成となっている。ばね４３のばね定数及び減衰係数は、内槽１９の脱水運転時に発生する上下方向の振動を制限するように設定されている。
【００２３】
このように構成されたドラム式洗濯機３において、図３に示す振動系の概略図に基づき説明すると、サスペンション１１，１１に支持されている構造品（駆動モータ１５，内・外槽１９，１３等）の質量をＭ、ダンパ３９に支持された質量体３７の質量をｍで示す。脱水行程時において、内槽１９内に生じる被洗濯物のアンバランスの遠心力が、外力Ｆとして質量Ｍに作用する。
【００２４】
脱水起動時では、共振点において、質量Ｍの振動は大きくなるが、共振振動はサスペンション１１内の摩擦力により低減される。と同時に、質量ｍが、質量Ｍにばね４３によるばね減衰を介して取付けられた動吸振器３５として作用するため、共振点での質量Ｍ、即ち、内槽１９の上下方向の振動が低減される。
【００２５】
この場合、図４に示す如く、シリンダ部４１から延長されたピストンロッド４７を、支持ブラケット２９の取付部４９に対して、取付軸５１により矢印方向へ回動自在に枢支する一方、取付軸５１から質量体３７の重心位置までの長さＬを、内槽１９の左右方向の振動を制振する動吸振器３５として作用する構成とすることで、上下方向の振動に加えて、左右方向の共振振動の低減が図れるようになる。
【００２６】
なお、前記実施形態にあっては、脱水起動時の共振振動を動吸振器３５により減衰させることができるため、例えば、サスペンション１１に作用する摩擦力を小さく、あるいは、無くすようにすることで、サスペンション１１を介して支持板部材２７へ伝達される振動伝達力を低減し、脱水定常時に床面５と、洗濯機本体１への振動伝達力を小さく抑えることが可能となる。
【００２７】
一方、投入口１７は、本体支持部３により高い位置に設定されているため、洗濯物の出し入れが容易に行なえるようになる。
【００２８】
図５は、本体支持部３の別の実施形態を示したものである。
【００２９】
即ち、本体支持部３を洗濯機本体１と独立して形成する。洗濯機本体１は、床面５に直接設置できるようにゴムでできた支脚部５３が設けられ、本体支持部１の支持台５５の上面に設置されている。これにより、床面５からの投入口１７の位置Ｄは、本体支持部３のＨ分、高くなっている。
【００３０】
洗濯機本体１の底板１ａの中央部位は、大きく開口された開放口５７となっている。
【００３１】
本体支持部３は、ボックス状に形成され、底板には床面５に設置するための支脚部５９が設けられている。本体支持部３には動吸振器３５が配置される一方、支持台５５の中央部位は、前記洗濯機本体１の底板に設けられた開放口５７と対応する開放口６１が設けられている。
【００３２】
動吸振器３５は、サスペンション１１に支持されている構造品、例えば駆動モータ１５，内槽１９，外槽１３，支持ブラケット２９の質量の約１５％に相当する質量体３７と、ダンパ３９とで構成されている。
【００３３】
ダンパ３９は、質量体３７の中央部位からシリンダ部４１が立上がり、シリンダ部４１に対して、ばね４３によるばね圧によってピストン４５の動き量が制御されると共に、ピストン４５から上方へ延長されたピストンロッド４７を有し、ピストンロッド４７は、各開放口６１，５７を介して支持ブラケット２９の取付部４９に、取付軸５１により矢印方向に回動自在に取着されている。これにより、動きが制限されるピストンロッド４７の移動時に減衰力を生じる構成となっており、ばね４３のばね定数及び減衰係数は、内槽１９の脱水運転時に発生する上下方向の振動を制振するように設定されている。
【００３４】
また、ピストンロッド４７の取付軸５１は、本体振動系の重心位置鉛直線上Ｘに配置されると共に、必要に応じて取外し可能となっている。
【００３５】
なお、他の構成要素は、図１と同一のため同一符号を付して詳細な説明を省略する。
【００３６】
かかるドラム式洗濯機によれば、前記実施形態の効果に加えて、使用場所あるいは使用条件によって本体支持部３の使用を選択できるメリットが得られる。
【００３７】
図６は、動吸振器３５の別の実施形態を示したものである。
【００３８】
動吸振器３５は、サスペンション１１に支持されている構造品、例えば、駆動モータ１５，内槽１９，外槽１３，支持ブラケット２９の質量の約１５％に相当する質量体６１で構成され、床面５からの投入口１７の位置ＤをＨ分、高くする本体支持部３内に配置されている。
【００３９】
質量体６１は、中央部位から立上がる支持ロッド６３の上端部が支持ブラケット２９に設けられた取付部６５に、取付軸６７を中心として矢印方向へ振り子運動自在に枢支されている。
【００４０】
質量体６１の重心位置と取付軸６７までの長さＬは、内槽１９の左右方向の振動を制振する動吸振器３５として作用するよう設定されている。
【００４１】
なお、他の構成要素は図１と同一のため同一符号を付して詳細な説明を省略する。
【００４２】
このように構成された実施形態によれば、脱水起動時に発生する振動系の内、上下方向への共振振動は、サスペンション１１によって低減される。また、左右方向の振動は、取付軸６７を中心とする質量体６１の振り子運動によって低減され、洗濯機本体１への振動伝達が小さく抑えられる。
【００４３】
また、本体支持部３によってＨ分、投入口１７の位置が高くなるため、洗濯物の出し入れが容易となる。
【００４４】
図７は、投入口１７の位置を高くする本体支持部３の別の実施形態を示したものである。
【００４５】
即ち、本体支持部３を内槽１９、外槽１３及びそれを支持するサスペンション１１等が内装された洗濯機本体１と独立して形成する。洗濯機本体１の底部にゴムでできた支脚部６９を設け、その支脚部６９を介して洗濯機本体１を、前記本体支持部３の支持台７１に設置するものである。
【００４６】
ゴムでできた支脚部６９は、図８に示す如くゴム硬度によって床への振動伝達力に影響を与えるのがわかる。即ち、ゴム硬度が小さいほど伝達力が最大となる共振点は低くなる。特に、脱水回転１０００ｒｐｍ付近で比較すると、実線で示す如くゴム硬度が小さい、即ち、柔らかい方が、床への振動伝達力が小さくなる。
【００４７】
反面、柔らかいために左右方向へ動き易くなり、左右方向の振動が大きくなる。また、支脚部自体がへたり易くなる問題を招来する所から、支脚部６９は硬いものを使用している。
【００４８】
一方、本体支持部３の支持台７１は、ばね７３と、ピストン７５及びピストンロッド７７とから成る支持機構７９とにより上下動自在に支持された構造となっている。
【００４９】
ばね７３は、ばね定数が小さいものを用いた組合せとすることで、前記支脚部６９のゴム硬度をみかけ上、柔らかくなる構造をとっている。
【００５０】
なお、他の構成要素は、図１と同一のため同一符号を付して詳細な説明を省略する。
【００５１】
このように形成された実施形態によれば、脱水時において、内槽１９内の洗濯物が偏っていれば、アンバランスの遠心力が内槽１９に作用し振動する。
【００５２】
この時、上下方向の振動は、ばね７３によって床面５への振動が小さく抑えられる。と同時に、支脚部６９は、硬いゴム硬度によって左右方向への振動を増大させることはない。
【００５３】
また、本体支持部３によってＨ分、投入口１７の位置Ｄが高くなるため、洗濯物の出し入れが容易となる。
【００５４】
なお、この実施形態では、本体支持部３を別体に構成する手段となっているが、図９に示す如く、本体支持部３を一体に形成した洗濯機本体１とする構造としても同様の効果が得られる。
【００５５】
【発明の効果】
以上、説明したように、この発明のドラム式洗濯機によれば、次のような効果を奏する。
【００５６】
（１）  本体支持部によって投入口の位置を高くすることができるため、洗濯物の出し入れが容易となり、使い勝手の面で優れたものとなる。
【００５７】
（２）  脱水起動時の共振振動及び脱水定常時の床面への振動伝達力を低減することができる。
【００５８】
（３）  本体支持部を、使用場所、使用条件によってユーザーが選択できるようになる。
【図面の簡単な説明】
【図１】この発明にかかるドラム式洗濯機の概要説明図。
【図２】ドラム式洗濯機の概要斜視図。
【図３】振動系の概要モデル図。
【図４】動吸振器を振り子運動自在に支持した図１と同様の概要説明図。
【図５】本体支持部の別の実施形態を示した図４と同様の概要説明図。
【図６】質量体を振り子運動自在に支持した図１と同様の概要説明図。
【図７】本体支持部の別の実施形態を示したドラム式洗濯機の概要説明図。
【図８】ゴム硬度による伝達力の説明図。
【図９】本体支持部を洗濯機本体と一体形状とした図７と同様の概要説明図。
【符号の説明】
１  洗濯機本体
３  本体支持部
５  床面
７  開閉扉
１１  サスペンション
１３  外槽
１５  駆動モータ
１７  投入口
１９  内槽
【図１】
0003585667.tif 000002
【図２】
0003585667.tif 000003
【図３】
0003585667.tif 000004
【図４】
0003585667.tif 000005
【図５】
0003585667.tif 000006
【図６】
0003585667.tif 000007
【図７】
0003585667.tif 000008
【図８】
0003585667.tif 000009
【図９】
0003585667.tif 000010